(57)【要約】【課題】本発明は、コンピュータに対して簡易な構成で他の周辺装置及び他の編集装置のいずれをも容易に接続し得るようにする。【解決手段】本発明は、中継装置４において、パーソナルコンピュータ２と通信するＣＰＵ１０及びＵＳＢコントローラ１１に兼用コネクタ１３及び１４の周辺装置用入出力ピンと編集装置用入出力ピンとを切り替えて接続するスイッチ１５をＣＰＵ１０により兼用コネクタ１３及び１４に接続された他の周辺装置５及び他の編集装置７に応じて制御することにより、中継装置４に１個の兼用コネクタ１３及び１４を設ける簡易な構成で他の周辺装置５及び他の編集装置７を接続でき、かつパーソナルコンピュータ２に１個のＵＳＢインターフェース部２６を設ける簡易な構成で中継装置を通信接続でき、パーソナルコンピュータ２に簡易な構成で他の周辺装置５及び他の編集装置７のいずれも容易に接続し得る。【選択図】        図３
2004341932.tif 000002
【特許請求の範囲】
【請求項１】
他の周辺装置に対する制御もとの編集装置及び他の編集装置に対する制御対象の周辺装置のいずれとしても機能可能なコンピュータと、当該コンピュータと上記他の周辺装置及び上記他の編集装置との制御用の通信を中継する中継装置とから構築された編集システムであって、
上記中継装置は、
上記コンピュータ及び上記他の周辺装置と当該コンピュータ及び上記他の編集装置との両方の上記通信の中継に兼用され、上記コンピュータと通信する通信手段と、
上記他の周辺装置に取り付けられた周辺装置専用コネクタ及び上記他の編集装置に取り付けられた編集装置専用コネクタの接続に兼用される兼用コネクタと、
上記通信手段に対する、上記兼用コネクタの周辺装置用入出力ピンと編集装置用入出力ピンとの接続を切り替える接続切替手段と、
上記兼用コネクタに上記周辺装置専用コネクタ又は上記編集装置専用コネクタを介して接続された上記他の周辺装置又は上記他の編集装置に応じて、上記通信手段に対する、上記兼用コネクタの上記周辺装置用入出力ピンと上記編集装置用入出力ピンとの接続を切り替えるように上記接続切替手段を制御する制御手段と
を具えることを特徴とする編集システム。
【請求項２】
上記中継装置は、
上記制御手段により上記接続切替手段を制御して、上記通信手段に対する上記兼用コネクタの上記周辺装置用入出力ピンと上記編集装置用入出力ピンとの接続を切り替えた接続設定時点から、予め選定された通信確認時間が経過するまでの間に、上記コンピュータと、上記兼用コネクタに上記周辺装置専用コネクタ又は上記編集装置専用コネクタを介して接続された上記他の周辺装置又は上記他の編集装置との通信状態に応じて上記通信が確立したか否かを判断する通信確立判断手段と、
上記通信確立判断手段による判断結果に応じて、上記接続設定時点から上記通信確認時間が経過するまでの間に上記コンピュータと、上記兼用コネクタに上記周辺装置専用コネクタ又は上記編集装置専用コネクタを介して接続された上記他の周辺装置又は上記他の編集装置との通信が確立しないと判断されたときには、上記コンピュータと、上記兼用コネクタに上記周辺装置専用コネクタ又は上記編集装置専用コネクタを介して接続された上記他の周辺装置又は上記他の編集装置との上記通信を遮断する通信遮断手段と
を具えることを特徴とする請求項１に記載の編集システム。
【請求項３】
上記中継装置は、
上記通信遮断手段により上記コンピュータと、上記兼用コネクタに上記周辺装置専用コネクタ又は上記編集装置専用コネクタを介して接続された上記他の周辺装置又は上記他の編集装置との上記通信を遮断したとき、当該通信の遮断を通知する通信遮断通知手段
を具えることを特徴とする請求項２に記載の編集システム。
【請求項４】
他の周辺装置に対する制御もとの編集装置及び他の編集装置に対する制御対象の周辺装置のいずれとしても機能可能なコンピュータと、上記他の周辺装置及び上記他の編集装置との制御用の通信を中継する中継装置であって、
上記コンピュータ及び上記他の周辺装置と当該コンピュータ及び上記他の編集装置との両方の上記通信の中継に兼用され、上記コンピュータと通信する通信手段と、
上記他の周辺装置に取り付けられた周辺装置専用コネクタ及び上記他の編集装置に取り付けられた編集装置専用コネクタの接続に兼用される兼用コネクタと、
上記通信手段に対する、上記兼用コネクタの周辺装置用入出力ピンと編集装置用入出力ピンとの接続を切り替える接続切替手段と、
上記兼用コネクタに上記周辺装置専用コネクタ又は上記編集装置専用コネクタを介して接続された上記他の周辺装置又は上記他の編集装置に応じて、上記通信手段に対する、上記兼用コネクタの上記周辺装置用入出力ピンと上記編集装置用入出力ピンとの接続を切り替えるように上記接続切替手段を制御する制御手段と
を具えることを特徴とする中継装置。
【請求項５】
他の周辺装置に対する制御もとの編集装置及び他の編集装置に対する制御対象の周辺装置のいずれとしても機能可能なコンピュータに対する、上記他の周辺装置と上記他の編集装置との接続を設定する装置接続設定方法であって、
上記コンピュータ及び上記他の周辺装置と当該コンピュータ及び上記他の編集装置との両方の上記通信の中継に兼用され、上記コンピュータと通信する通信手段に対して、上記他の周辺装置に取り付けられた周辺装置専用コネクタ及び上記他の編集装置に取り付けられた編集装置専用コネクタの接続に兼用される兼用コネクタの周辺装置用入出力ピンと編集装置用入出力ピンとの接続を切り替える接続切替手段を、上記兼用コネクタに上記周辺装置専用コネクタ又は上記編集装置専用コネクタを介して接続された上記他の周辺装置又は上記他の編集装置に応じて、上記通信手段に対する上記兼用コネクタの上記周辺装置用入出力ピンと上記編集装置用入出力ピンとの接続を切り替えるように制御するようにした
ことを特徴とする装置接続設定方法。
【発明の詳細な説明】
【０００１】
【発明の属する技術分野】
本発明は編集システムに関し、例えばパーソナルコンピュータを編集装置として用いる編集システムに適用して好適なものである。
【０００２】
【従来の技術】
従来の編集システムは、パーソナルコンピュータを編集装置として用いて、編集対象の映像データに基づく映像を例えば変形及び合成するようにして所望の状態に編集している（例えば、特許文献１参照）。
【０００３】
【特許文献１】
特開２０００−２３５５４２号公報（第２頁）
【０００４】
【発明が解決しようとする課題】
ところでかかる構成の編集システムにおいては、パーソナルコンピュータにビデオテープレコーダ等の他の周辺装置やエディタ等の他の編集装置を接続し、当該パーソナルコンピュータにより他の周辺装置を制御して編集対象の映像データに対する記録再生等の所定の編集処理を実行し、又はパーソナルコンピュータを他の編集装置に対する周辺装置と見なして当該他の編集装置によりパーソナルコンピュータを制御して編集対象の映像データに対する記録再生等の編集処理を実行する場合がある。
【０００５】
そして編集システムにおいては、パーソナルコンピュータを用いてかかる編集処理を実現する場合、当該パーソナルコンピュータの本体に他の周辺装置を接続するために当該他の周辺装置専用のコネクタを設ける必要があると共に、他の編集装置を接続するためにも当該他の編集装置専用のコネクタを設ける必要がある。
【０００６】
ところがかかる編集システムにおいては、パーソナルコンピュータに対して他の周辺装置と他の編集装置とのいずれも接続する可能性がある場合には、パーソナルコンピュータの本体に予め他の周辺装置専用のコネクタと他の編集装置専用のコネクタとの両方を設ける必要があり、パーソナルコンピュータの構成が煩雑化するという問題があった。
【０００７】
本発明は以上の点を考慮してなされたもので、コンピュータに対して簡易な構成で他の周辺装置及び他の編集装置のいずれをも容易に接続し得る編集システムを提案しようとするものである。
【０００８】
【課題を解決するための手段】
かかる課題を解決するため本発明においては、他の周辺装置に対する制御もとの編集装置及び他の編集装置に対する制御対象の周辺装置のいずれとしても機能可能なコンピュータと、当該コンピュータと他の周辺装置及び他の編集装置との制御用の通信を中継する中継装置とから構築された編集システムにおいて、中継装置に、コンピュータ及び他の周辺装置と当該コンピュータ及び他の編集装置との両方の通信の中継に兼用され、コンピュータと通信する通信手段と、他の周辺装置に取り付けられた周辺装置専用コネクタ及び他の編集装置に取り付けられた編集装置専用コネクタの接続に兼用される兼用コネクタと、通信手段に対する、兼用コネクタの周辺装置用入出力ピンと編集装置用入出力ピンとの接続を切り替える接続切替手段と、兼用コネクタに周辺装置専用コネクタ又は編集装置専用コネクタを介して接続された他の周辺装置又は他の編集装置に応じて、通信手段に対する、兼用コネクタの周辺装置用入出力ピンと編集装置用入出力ピンとの接続を切り替えるように接続切替手段を制御する制御手段とを設けるようにした。
【０００９】
従って、コンピュータに対して他の周辺装置と他の編集装置とのいずれも接続する可能性がある場合でも、中継装置に対して少なくとも１個の兼用コネクタを設けるだけの簡易な構成で他の周辺装置及び他の編集装置のいずれも容易に接続することができると共に、コンピュータに中継装置の通信手段と通信する１個の通信手段を設けるだけの簡易な構成で当該中継装置を容易に通信接続することができる。
【００１０】
【発明の実施の形態】
以下図面について、本発明の一実施の形態を詳述する。
【００１１】
図１において、１は全体として本発明による編集システムを示し、編集処理時の制御もとになる編集装置及び当該編集処理時の制御対象となる周辺装置のいずれとしても機能可能なパーソナルコンピュータ２に、ＵＳＢ（Ｕｎｉｖｅｒｓａｌ  Ｓｅｒｉａｌ  Ｂｕｓ）ケーブル３を介して通信中継用の中継装置４が接続されている。
【００１２】
また中継装置４には、パーソナルコンピュータ２が編集装置として機能するときに、当該パーソナルコンピュータ２に対して制御対象となるビデオテープレコーダ等の他の周辺装置５が当該周辺装置５にケーブル６を介して取り付けられた周辺装置専用コネクタ（図示せず）によって接続されている。
【００１３】
さらに中継装置４には、パーソナルコンピュータ２が周辺装置として機能するときに、当該パーソナルコンピュータ２に対して制御もとになるエディタ等の他の編集装置７が当該編集装置７にケーブル８を介して取り付けられた編集装置専用コネクタ（図示せず）によって接続されている。
【００１４】
この場合、図２に示すように、中継装置４は、小型省電力型のＣＰＵ（Ｃｅｎｔｒａｌ  Ｐｒｏｃｅｓｓｉｎｇ  Ｕｎｉｔ  ）１０を有し、当該ＣＰＵ１０がパーソナルコンピュータ２からＵＳＢケーブル３を介して供給される動作電力をＵＳＢコントローラ１１を介して取り込んで動作することにより各部を制御している。
【００１５】
そして中継装置４は、パーソナルコンピュータ２からＵＳＢケーブル３を介して供給される動作電力により動作している間、時間的に連続し、編集対象の映像データのフレーム周波数に応じたフレームの時間的な先頭を示すタイミング（以下、これをフレームタイミングと呼ぶ）で順次フレーム同期情報が格納されたリファレンス信号Ｓ１が外部から継続的に供給されることにより、当該リファレンス信号Ｓ１を同期情報抽出回路１２に取り込む。
【００１６】
同期情報抽出回路１２は、外部から供給されるリファレンス信号Ｓ１を取り込みながら当該リファレンス信号Ｓ１に格納されているフレーム同期情報を順次フレームタイミングで抽出すると同時に当該抽出したフレーム同期情報をフレームタイミング通知用のタイミング通知信号Ｓ２としてＣＰＵ１０を介してＵＳＢコントローラ１１に送出することにより、当該タイミング通知信号Ｓ２をＵＳＢコントローラ１１に設けられたＵＳＢインタラプト転送用のエンドポイントに入力する。
【００１７】
そしてＵＳＢコントローラ１１は、パーソナルコンピュータ２からタイミング通知信号Ｓ２の取得を要求する取得コマンドＣ１がＵＳＢケーブル３を介して送信されると、当該取得コマンドＣ１の受信後に最も早く到来するフレームタイミングでエンドポイントに入力したタイミング通知信号Ｓ２をその入力と同時（すなわち、フレームタイミングと同時）にＵＳＢケーブル３を介してパーソナルコンピュータ２に送信する。
【００１８】
これによりＵＳＢコントローラ１１は、パーソナルコンピュータ２に対してタイミング通知信号Ｓ２の送信タイミングとして、編集対象の映像データに対する記録再生処理やコマンドの出力処理等の各種処理を同期させるためのフレームタイミングを通知し得るようになされている。
【００１９】
ところで周辺装置５にケーブル６を介して取り付けられた周辺装置専用コネクタと、編集装置７にケーブル８を介して取り付けられた編集装置専用コネクタとは、それぞれ信号の入出力用に割り当てられた入出力ピン（以下、これを割当入出力ピンと呼ぶ）が異なるものの、同一の規格（すなわち、形状、大きさ、入出力ピンの数及び入出力ピンの配置位置等が同一である）で形成されている。
【００２０】
これに対して中継装置４には、周辺装置専用コネクタ及び編集装置専用コネクタの規格に準じて構成され、当該周辺装置専用コネクタ及び編集装置専用コネクタの接続に兼用される２個の兼用コネクタ１３及び１４が設けられている。
【００２１】
また２個の兼用コネクタ１３及び１４の前段には、スイッチ１５が配置されると共に、当該スイッチ１５からＣＰＵ１０までの間には、パーソナルコンピュータ２と周辺装置５及び編集装置７との通信を制御する通信制御回路１６と、当該パーソナルコンピュータ２と周辺装置５及び編集装置７との通信用の信号を処理する信号処理回路１７とが順次電気的に接続されて配置されている。
【００２２】
そしてスイッチ１５は、通信制御回路１６に対する、一方の兼用コネクタ１３の周辺装置用入出力ピン（すなわち、周辺装置専用コネクタの割当入出力ピンに対応する一方の兼用コネクタ１３の入出力ピン）と、編集装置用入出力ピン（すなわち、編集装置専用コネクタの割当入出力ピンに対応する一方の兼用コネクタ１３の入出力ピン）との接続を切り替えるようになされている。
【００２３】
またスイッチ１５は、通信制御回路１６に対する、他方の兼用コネクタ１４の周辺装置用入出力ピン（すなわち、周辺装置専用コネクタの割当入出力ピンに対応する他方の兼用コネクタ１４の入出力ピン）と、編集装置用入出力ピン（すなわち、編集装置専用コネクタの割当入出力ピンに対応する他方の兼用コネクタ１４の入出力ピン）との接続を切り替えるようになされている。
【００２４】
これにより中継装置４は、２個の兼用コネクタ１３及び１４をそれぞれ周辺装置専用コネクタ及び編集装置専用コネクタの接続に兼用することができ、かくして２個の兼用コネクタ１３及び１４のいずれに対しても、それぞれ接続対象が周辺装置専用コネクタ及び編集装置専用コネクタのいずれであるかを何ら気にさせずに、当該周辺装置専用コネクタ及び編集装置専用コネクタのいずれをも接続させ得るようになされている。
【００２５】
実際上、ＣＰＵ１０は、２個の兼用コネクタ１３及び１４のうち例えば一方の兼用コネクタ１３に周辺装置５の周辺装置専用コネクタが接続された後、パーソナルコンピュータ２から、当該パーソナルコンピュータ２を周辺装置５の制御もとの編集装置として機能させ、かつ中継装置４に一方の兼用コネクタ１３を介して周辺装置５が接続されたことを示す接続情報がＵＳＢケーブル３を介して送信されると、これをＵＳＢコントローラ１１を介して受信する。
【００２６】
そしてＣＰＵ１０は、接続情報に従ってスイッチ１５を制御して通信制御回路１６にスイッチ１５を介して一方の兼用コネクタ１３の周辺装置用入出力ピンを接続することによりパーソナルコンピュータ２及び周辺装置５間で中継装置４を介して通信路を確保し、かくしてパーソナルコンピュータに対して周辺装置５を制御可能な状態にする。
【００２７】
この状態でＣＰＵ１０は、パーソナルコンピュータ２から取得コマンドＣ１に応じて通知しているフレームタイミングに同期して例えば所定フォーマットのパラレルデータでなる、周辺装置５制御用の信号（以下、これを周辺装置制御コマンドと呼ぶ）Ｃ２がＵＳＢケーブル３を介して送信されると、これをＵＳＢコントローラ１１を介して取り込み、当該取り込んだ周辺装置制御コマンドＣ２を信号処理回路１７に送出する。
【００２８】
信号処理回路１７は、ＣＰＵ１０から与えられた周辺装置制御コマンドＣ２に対して、パラレルシリアル変換やフォーマット変換等の周辺装置５用の送信処理を施し、得られた周辺装置制御コマンドＣ３を通信制御回路１６及びスイッチ１５を順次介して一方の兼用コネクタ１３から周辺装置５に送信する。
【００２９】
また信号処理回路１７は、周辺装置５に周辺装置制御コマンドＣ３を送信した結果、予め規定された時間（以下、これを規定時間と呼ぶ）内に当該周辺装置５からその周辺装置制御コマンドＣ３に応答して動作状態等を示すシリアルデータでなる信号（以下、これを周辺装置応答コマンドと呼ぶ）Ｃ４が返信されると、これを一方の兼用コネクタ１３からスイッチ１５及び通信制御回路１６を順次介して取り込む。
【００３０】
そして信号処理回路１７は、周辺装置応答コマンドＣ４に対して、シリアルパラレル変換等の周辺装置５用の受信処理を施し、得られた周辺装置応答コマンドＣ５をＣＰＵ１０を介してＵＳＢコントローラ１１に送出する。
【００３１】
ＵＳＢコントローラ１１は、信号処理回路１７からＣＰＵ１０を介して与えられた周辺装置応答コマンドＣ５に対してフォーマット変換等の所定の信号処理を施し、得られた周辺装置応答コマンドＣ６をＵＳＢケーブル３を介してパーソナルコンピュータ２に送信する。
【００３２】
このようにしてＣＰＵ１０は、中継装置４に一方の兼用コネクタ１３を介して周辺装置５が接続された場合、当該周辺装置５とパーソナルコンピュータ２との間の各種コマンドの通信を中継することにより、当該パーソナルコンピュータ２に周辺装置５を編集対象の映像データに対する記録再生等を実行させるように制御させ、かくしてパーソナルコンピュータ２及び周辺装置５に種々の編集処理を実行させ得るようになされている。
【００３３】
またＣＰＵ１０は、２個の兼用コネクタ１３及び１４のうち例えば一方の兼用コネクタ１３に編集装置７の編集装置専用コネクタが接続された後、パーソナルコンピュータ２から、当該パーソナルコンピュータ２を編集装置７に対する制御対象の周辺装置として機能させ、かつ中継装置４に一方の兼用コネクタ１３を介して編集装置７が接続されたことを示す接続情報がＵＳＢケーブル３を介して送信されると、これをＵＳＢコントローラ１１を介して取り込む。
【００３４】
そしてＣＰＵ１０は、接続情報に従ってスイッチ１５を制御して通信制御回路１６にスイッチ１５を介して一方の兼用コネクタ１３の編集装置用入出力ピンを接続することによりパーソナルコンピュータ２及び編集装置７間で中継装置４を介して通信路を確保し、かくして編集装置７に対してパーソナルコンピュータ２を周辺装置と見なして制御可能な状態にする。
【００３５】
この状態で信号処理回路１７は、編集装置７からレファレンス信号Ｓ１の示すフレームタイミングに同期して所定フォーマットのシリアルデータでなる、パーソナルコンピュータ２制御用の信号（以下、これをコンピュータ制御コマンドと呼ぶ）Ｃ１０が送信されると、これを一方の兼用コネクタ１３からスイッチ１５及び通信制御回路１６を順次介して取り込む。
【００３６】
そして信号処理回路１７は、コンピュータ制御コマンドＣ１０に対して、シリアルパラレル変換等の編集装置７用の受信処理を施し、得られたコンピュータ制御コマンドＣ１１をＣＰＵ１０を介してＵＳＢコントローラ１１に送出する。
【００３７】
ＵＳＢコントローラ１１は、信号処理回路１７からＣＰＵ１０を介して与えられたコンピュータ制御コマンドＣ１１に対してフォーマット変換等の所定の信号処理を施し、得られたコンピュータ制御コマンドＣ１２をＵＳＢケーブル３を介してパーソナルコンピュータ２に送信する。
【００３８】
またＣＰＵ１０は、パーソナルコンピュータ２にコンピュータ制御コマンドＣ１２を送信した結果、規定時間内に当該パーソナルコンピュータ２からそのコンピュータ制御コマンドＣ１２に応答して動作状態等を示すパラレルデータでなる信号（以下、これをコンピュータ応答コマンドと呼ぶ）Ｃ１３がＵＳＢケーブル３を介して返信されると、これをＵＳＢコントローラ１１を介して取り込み、当該取り込んだコンピュータ応答コマンドＣ１３を信号処理回路１７に送出する。
【００３９】
信号処理回路１７は、ＣＰＵ１０から与えられたコンピュータ応答コマンドＣ１３に対して、パラレルシリアル変換やフォーマット変換等の編集装置７用の送信処理を施し、得られたコンピュータ応答コマンドＣ１４を通信制御回路１６及びスイッチ１５を順次介して一方の兼用コネクタ１３から編集装置７に送信する。
【００４０】
このようにしてＣＰＵ１０は、中継装置４に一方の兼用コネクタ１３を介して編集装置７が接続された場合、当該編集装置７とパーソナルコンピュータ２との間の各種コマンドの通信を中継することにより、当該編集装置７にパーソナルコンピュータ２を周辺装置と見なして編集対象の映像データに対する記録再生等を実行させるように制御させ、かくして編集装置７及びパーソナルコンピュータ２に種々の編集処理を実行させ得るようになされている。
【００４１】
因みにＣＰＵ１０は、２個の兼用コネクタ１３及び１４のうち他方の兼用コネクタ１４に周辺装置５の周辺装置専用コネクタが接続された場合や、編集装置７の編集装置専用コネクタが接続された場合でも、上述した場合と同様に機能することによりパーソナルコンピュータ２及び周辺装置５に種々の編集処理を実行させ得ると共に、編集装置７及びパーソナルコンピュータ２に種々の編集処理を実行させ得るようになされている。
【００４２】
またＣＰＵ１０は、２個の兼用コネクタ１３及び１４を介して２台の周辺装置５を接続し得ると共に、当該２個の兼用コネクタ１３及び１４を介して２台の編集装置７を接続することもでき、さらに図１に示したように２個の兼用コネクタ１３及び１４を介して周辺装置５及び編集装置７を１台ずつ接続することもできる。
【００４３】
ところでＣＰＵ１０は、パーソナルコンピュータ２及び周辺装置５間の各種コマンドの通信を中継するときや、編集装置７及びパーソナルコンピュータ２間の各種コマンドの通信を中継するときには、通信制御回路１６を制御することにより当該通信制御回路１６のスイッチ１５側の入出力段（以下、これをスイッチ側入出力段と呼ぶ）に対してインピーダンスの値を調節している。
【００４４】
すなわちＣＰＵ１０は、パーソナルコンピュータ２と、周辺装置５及び編集装置７との間で通信される各種コマンドを中継する場合、通信制御回路１６を制御して例えばスイッチ側入出力段のインピーダンスの値を、コマンドを入出力し易い比較的低い第１の値に調節する。
【００４５】
これによりＣＰＵ１０は、パーソナルコンピュータ２から送信された周辺装置制御コマンドＣ２及びコンピュータ応答コマンドＣ１３に相当する周辺装置制御コマンドＣ３及びコンピュータ応答コマンドＣ１４を通信制御回路１６からスイッチ１５を介して一方及び他方の兼用コネクタ１３及び１４に送出し、周辺装置５及び編集装置７から送信された周辺装置応答コマンドＣ４及びコンピュータ制御コマンドＣ１０を一方及び他方の兼用コネクタ１３及び１４からスイッチ１５を介して通信制御回路１６に取り込んで、当該通信制御回路１６から信号処理回路１７に送出している。
【００４６】
またＣＰＵ１０は、中継装置４に対する周辺装置５及び編集装置７の接続の有無や、当該中継装置４に実際に接続されている周辺装置５及び編集装置７を自己の独立した機能としては認識することができず、パーソナルコンピュータ２から編集処理の開始に合わせて接続情報が送信される毎に当該送信された接続情報によってのみ、中継装置４に対する周辺装置５及び編集装置７の接続の有無や、当該中継装置４に接続されている周辺装置５及び編集装置７を認識している。
【００４７】
すなわちＣＰＵ１０は、パーソナルコンピュータ２から送信された接続情報（すなわち、ユーザによって入力された接続情報）によってのみスイッチ１５を制御しており、中継装置４の起動停止中や、起動中であるとしても接続情報を受信してスイッチ１５を制御した後に当該中継装置４に対する周辺装置５及び編集装置７の接続が変更され、又は中継装置４に接続されている周辺装置５及び編集装置７がユーザによって勘違いされていても、中継装置４に実際に接続されている周辺装置５及び編集装置７に応じて、スイッチ１５を自己の独立した機能として制御し直したりはしていない。
【００４８】
このためＣＰＵ１０は、パーソナルコンピュータ２から動作電力の供給を受けて中継装置４を起動させた時点にパーソナルコンピュータ２から接続情報が送信されなければ、当該パーソナルコンピュータ２から送信される接続情報を受信するまでの間、中継装置４に対して周辺装置５や編集装置７が接続されていても、その周辺装置５や編集装置７の接続に合わせてスイッチ１５を適確に制御しているとはいい難いことにより、通信制御回路１６を制御してスイッチ側入出力段のインピーダンスの値を、第１の値よりも高くコマンドの入出力を遮断するのに十分な第２の値に調節する。
【００４９】
これによりＣＰＵ１０は、中継装置４の起動時に、例えばパーソナルコンピュータ２が編集装置として機能するように設定され、かつ当該中継装置４に対してパーソナルコンピュータ２と通信可能な状態に編集装置７が接続されているような場合に、パーソナルコンピュータ２からＵＳＢケーブル３を介して送信された周辺装置制御コマンドＣ２に相当する周辺装置制御コマンドＣ３を通信制御回路１６のスイッチ側入出力段に対するインピーダンスの第２の値に応じて当該通信制御回路１６でスイッチ１５側に出力させないように停止させる。
【００５０】
またＣＰＵ１０は、編集装置７から送信されたコンピュータ制御コマンドＣ１０を一方及び他方の兼用コネクタ１３及び１４を介してスイッチ１５までは取り込むものの、そのコンピュータ制御コマンドＣ１０を通信制御回路１６のスイッチ側入出力段に対するインピーダンスの第２の値に応じて当該通信制御回路１６に入力させないように停止させる。
【００５１】
このようにしてＣＰＵ１０は、中継装置４の起動開始時に、当該中継装置４に対する周辺装置５及び編集装置７の接続の有無や、中継装置４に対して接続されている装置（すなわち、周辺装置５及び編集装置７）を認識し難いときには、通信制御回路１６においてコマンドの通信を強制的に遮断することにより、例えばパーソナルコンピュータ２及び編集装置７の双方から送信された周辺装置制御コマンドＣ２及びコンピュータ制御コマンドＣ１０がＣＰＵ１０や信号処理回路１７、通信制御回路１６、スイッチ１５、一方及び他方の兼用コネクタ１３及び１４でかちあうことによって、これらＣＰＵ１０や信号処理回路１７、通信制御回路１６、スイッチ１５、一方及び他方の兼用コネクタ１３及び１４において処理に破綻をきたすこと、又は最悪の場合には故障することを未然に防止し得るようになされている。
【００５２】
またＣＰＵ１０は、中継装置４の起動開始時に通信制御回路１６を制御してスイッチ側入出力段のインピーダンスの値を第２の値に調節しても、当該パーソナルコンピュータ２から送信された接続情報を受信したことにより、当該受信した接続情報に従ってスイッチ１５を制御したときには、これに応じて通信制御回路１６も制御してスイッチ側入出力段のインピーダンスの値を第１の値に調節する。
【００５３】
しかしながらＣＰＵ１０は、中継装置４の起動後に接続情報に従いスイッチ１５を制御すると共に、これに応じて通信制御回路１６を制御してスイッチ側入出力段に対するインピーダンスの値を第１の値に調節しても、当該スイッチ１５及び通信制御回路１６を制御した時点（以下、これを接続設定時点と呼ぶ）から予め選定された通信確認時間が経過するまでの間でパーソナルコンピュータ２及び周辺装置５間や、編集装置７及びパーソナルコンピュータ２間でコマンドの通信状態に応じて通信が確立したか否かを判断する。
【００５４】
すなわちＣＰＵ１０は、接続情報により、パーソナルコンピュータ２が編集装置として機能し、かつ中継装置４に対して編集処理の実行用に周辺装置５が接続されていると認識した状態で、接続設定時点から通信確認時間が経過するまでの間に、パーソナルコンピュータ２から送信された周辺装置制御コマンドＣ２に相当する周辺装置制御コマンドＣ３を一方又は他方のコネクタ１３又は１４から外部に出力した結果、これに応じて周辺装置５から送信された周辺装置応答コマンドＣ４を規定時間内に受信すると、中継装置４に対して接続情報の指定どおりに周辺装置５が接続され、かつ当該周辺装置５が正常に機能していることにより、当該周辺装置応答コマンドＣ４を受信した時点でパーソナルコンピュータ２及び周辺装置５間のコマンドの通信が確立したと判断する。
【００５５】
またＣＰＵ１０は、接続情報により、パーソナルコンピュータ２が周辺装置として機能し、かつ中継装置４に対して編集処理の実行用に編集装置７が接続されていると認識した状態で、接続設定時点から通信確認時間が経過するまでの間に、編集装置７から送信されたコンピュータ制御コマンドＣ１０に相当するコンピュータ制御コマンドＣ１２をパーソナルコンピュータ２に送信した結果、これに応じてパーソナルコンピュータ２から送信されたコンピュータ応答コマンドＣ１３を規定時間内に受信すると、中継装置４に対して接続情報の指定どおりに編集装置７が接続され、かつ当該編集装置７が正常に機能していることにより、当該コンピュータ応答コマンドＣ１３を受信した時点で編集装置７及びパーソナルコンピュータ２間のコマンドの通信が確立したと判断する。
【００５６】
そしてＣＰＵ１０は、このように接続設定時点から通信確認時間が経過するまでの間にコマンドの通信が確立したと判断したときには、パーソナルコンピュータ２に対して設定された機能に応じて、中継装置４に周辺装置５又は編集装置７が適確に接続されていることにより、通信制御回路１６のスイッチ側入出力段に対するインピーダンスの値を第１の値に維持することで当該パーソナルコンピュータ２及び周辺装置５間や、編集装置７及びパーソナルコンピュータ２間におけるコマンドの通信を継続させ、かくして所定の編集処理を実行させる。
【００５７】
これに対してＣＰＵ１０は、接続情報により、パーソナルコンピュータ２が編集装置として機能し、かつ中継装置４に対して編集処理の実行用に周辺装置５が接続されていると認識した状態で、接続設定時点から通信確認時間が経過するまでの間に、パーソナルコンピュータ２から送信された周辺装置制御コマンドＣ２に相当する周辺装置制御コマンドＣ３を兼用コネクタ１３及び１４を介して出力しても、これに応じて周辺装置５から送信されるはずの周辺装置応答コマンドＣ４を規定時間内に受信しなければ、中継装置４に対して接続情報の指定どおりに周辺装置５が接続されていない可能性があることにより、当該周辺装置応答コマンドＣ４を受信しないまま規定時間が経過した時点でコマンドの通信が確立しないと判断する。
【００５８】
またＣＰＵ１０は、接続情報により、パーソナルコンピュータ２が編集装置として機能し、かつ中継装置４に対して編集処理の実行用に周辺装置５が接続されていると認識した状態で、接続設定時点から通信確認時間が経過するまでの間に、パーソナルコンピュータ２から送信される周辺装置制御コマンドＣ２を受信する前に、編集装置７から送信されたコンピュータ制御コマンドＣ１０を受信したときには、中継装置４に対して接続情報の指定どおりに周辺装置５が接続されていないことにより、当該コンピュータ制御コマンドＣ１０を受信した時点でコマンドの通信が確立しないと判断する。
【００５９】
さらにＣＰＵ１０は、接続情報により、パーソナルコンピュータ２が周辺装置として機能し、かつ中継装置４に対して編集処理の実行用に編集装置７が接続されていると認識した状態で、接続設定時点から通信確認時間が経過しても編集装置７から送信されるべきコンピュータ制御コマンドＣ１０を受信しなければ、中継装置４に対して接続情報の指定どおりに編集装置７が接続されていない可能性があることにより、当該通信確認時間に到達した時点でコマンドの通信が確立しないと判断する。
【００６０】
ここでコマンドの通信が確立しないときには、中継装置４に、接続情報で指定されたとおりの周辺装置５及び編集装置７が起動を停止させた状態で接続されていることもあるが、中継装置４に接続された周辺装置５及び編集装置７がユーザによって勘違いされ、中継装置４にユーザの認識とは異なる周辺装置５及び編集装置７が誤って接続されている場合もある。
【００６１】
このためＣＰＵ１０は、このように接続設定時点から通信確認時間が経過するまでの間でコマンドの通信が確立しないと判断したときには、当該通信が確立しないと判断した時点で再び通信制御回路１６を制御してスイッチ側入出力段に対するインピーダンスの値を第２の値に調節することによりコマンドの通信を強制的に遮断する。
【００６２】
これによりＣＰＵ１０は、中継装置４内部で例えばパーソナルコンピュータ２及び編集装置７の双方から送信された周辺装置制御コマンドＣ２及びコンピュータ制御コマンドＣ１０がかちあうことでＣＰＵ１０や信号処理回路１７、通信制御回路１６、スイッチ１５、一方及び他方の兼用コネクタ１３及び１４において処理に破綻をきたすこと、又は最悪の場合には故障することを未然に防止し得るようになされている。
【００６３】
そしてＣＰＵ１０は、コマンドの通信が確立しないことに応じて当該コマンドの通信を強制的に遮断したときには、コマンドの通信の遮断を通知するための遮断情報をＵＳＢコントローラ１１からＵＳＢケーブル３を介してパーソナルコンピュータ２に送信する。
【００６４】
これによりＣＰＵ１０は、パーソナルコンピュータ２を介して遮断情報によりユーザにコマンドの通信の遮断を通知し、かくして中継装置４に一方及び又は他方の兼用コネクタ１３及び又は１４を介して接続されている周辺装置５及び編集装置７や当該周辺装置５及び編集装置７の起動の有無等を確認させ得るようになされている。
【００６５】
一方、パーソナルコンピュータ２は、ＣＰＵ２０にバス２１を介して当該ＣＰＵ２０のワークエリアとして用いるＲＡＭ（Ｒａｎｄｏｍ  Ａｃｃｅｓｓ  Ｍｅｍｏｒｙ）２２、編集プログラム等の各種プログラムをハードディスクに記憶しているハードディスクドライブ２３、操作部２４、表示部２５及びＵＳＢインターフェース部２６が接続され、当該ＵＳＢインターフェース部２６にＵＳＢケーブル３が接続されている。
【００６６】
ＣＰＵ２０は、操作部２４を介して入力される起動命令に応じてパーソナルコンピュータ２を起動させると、これに応じて中継装置４用の動作電力をＵＳＢインターフェース部２６からＵＳＢケーブル３を介して中継装置４に供給することにより当該中継装置４を起動させる。
【００６７】
そしてＣＰＵ２０は、操作部２４を介して任意のタイミング（すなわち、フレームタイミングに対して非同期のタイミング）で入力されたタイミング取得命令に応じてタイミング通知信号Ｓ２に対する取得処理を開始し、タイミング通知信号Ｓ２を取得するための取得コマンドＣ１をＵＳＢインターフェース部２６からＵＳＢケーブル３を介して中継装置４に送信する。
【００６８】
この結果、ＣＰＵ２０は、中継装置４からＵＳＢケーブル３を介して送信されるタイミング通知信号Ｓ２の受信を非同期で待ち受け、当該中継装置４からタイミング通知信号Ｓ２がＵＳＢケーブル３を介して送信されると、これをＵＳＢインターフェース部２６を介して受信する。
【００６９】
またＣＰＵ２０は、タイミング通知信号Ｓ２を受信すると、当該タイミング通知信号Ｓ２を受信したタイミングで再び取得コマンドＣ１をＵＳＢインターフェース部２６からＵＳＢケーブル３を介して中継装置４に送信する。
【００７０】
このようにしてＣＰＵ２０は、この後、操作部２４を介して入力される取得終了命令に応じてタイミング通知信号Ｓ２の取得処理を終了するまでの間、中継装置４への取得コマンドＣ１の送信と、中継装置４から送信されるタイミング通知信号Ｓ２の受信とを繰り返す。
【００７１】
ここでＣＰＵ２０は、ＵＳＢの規格により信号の伝送速度が比較的高速であり、タイミング通知信号Ｓ２の受信タイミングが中継装置４から当該タイミング通知信号Ｓ２の送信されたフレームタイミングとほぼ同時であることにより、その受信タイミングをフレームタイミングとして認識して当該受信タイミングにその時点で実行している編集処理や、コマンドの出力処理等を同期させ得るようになされている。
【００７２】
またＣＰＵ２０は、パーソナルコンピュータ２を起動させることにより、これに応じて中継装置４も起動させ、当該中継装置４から、例えば先に説明した当該中継装置４に対する周辺装置５及び編集装置７の接続設定処理により、パーソナルコンピュータ２と周辺装置５又は編集装置７との間の通信が遮断されたことに応じて遮断情報がＵＳＢケーブル３を介して送信されると、これをＵＳＢインターフェース部２６を介して受信する。
【００７３】
そしてＣＰＵ２０は、遮断情報に基づく所定の通知画面を表示部２５に表示してユーザにパーソナルコンピュータ２と、周辺装置５又は編集装置７との通信が遮断されたことを通知すると共に、中継装置４に対する周辺装置５及び編集装置７の接続及び起動の有無等を確認させ、さらに接続情報の入力を促す。
【００７４】
これによりＣＰＵ２０は、操作部２４を介して接続情報が入力されると、当該入力された接続情報をＵＳＢインターフェース部２６からＵＳＢケーブル３を介して中継装置４に送信することにより当該中継装置４に対して接続情報に従いスイッチ１５を制御させ、かくして通信制御回路１６にスイッチ１５を介して兼用コネクタ１３及び１４の周辺装置用入出力ピン及び編集装置用入出力ピンを接続させる。
【００７５】
因みにＣＰＵ２０は、起動中の中継装置４に対して周辺装置５及び編集装置７が接続し直されたときには、操作部２４を介して接続情報が入力されることを待ち受け、当該接続情報が入力されると、これをＵＳＢインターフェース部２６からＵＳＢケーブル３を介して中継装置４に送信することにより、中継装置４に対して接続情報に従いスイッチ１５を制御させ、かくして通信制御回路１６にスイッチ１５を介して兼用コネクタ１３及び１４の周辺装置用入出力ピン及び編集装置用入出力ピンを接続させる。
【００７６】
このようにしてＣＰＵ２０は、中継装置４を介して周辺装置５との通信路が確保された場合、操作部２４を介して入力された周辺装置５に対する制御命令に応じて周辺装置制御コマンドＣ２を生成し、当該生成した周辺装置制御コマンドＣ２を、中継装置４から通知されたフレームタイミングに同期させてＵＳＢインターフェース部２６からＵＳＢケーブル３を介して中継装置４に送信する。
【００７７】
この結果、ＣＰＵ２０は、周辺装置５から送信された周辺装置応答コマンドＣ４に相当する周辺装置応答コマンドＣ６が中継装置４からＵＳＢケーブル３を介して送信されると、これをＵＳＢインターフェース部２６を介して受信し、当該受信した周辺装置応答コマンドＣ６に従って、周辺装置５の動作状態等を確認する。
【００７８】
このようにしてＣＰＵ２０は、中継装置４を介して周辺装置５との間で各種コマンドを通信することにより当該周辺装置５を制御して編集対象の映像データに対する記録再生等の編集処理を実行させる。
【００７９】
またＣＰＵ２０は、中継装置４を介して編集装置７との通信路が確保された場合、当該編集装置７からフレームタイミングに同期して送信されたコンピュータ制御コマンドＣ１０に相当するコンピュータ制御コマンドＣ１２が中継装置４からＵＳＢケーブル３を介して送信されると、これをＵＳＢインターフェース部２６を介して受信する。
【００８０】
これによりＣＰＵ２０は、コンピュータ制御コマンドＣ１２に基づく制御命令を認識し、当該認識した制御命令に応じた処理を実行すると共に、その制御命令に応じてパーソナルコンピュータ２の動作状態等を示すコンピュータ応答コマンドＣ１３を生成し、当該生成したコンピュータ応答コマンドＣ１３をＵＳＢインターフェース部２６からＵＳＢケーブル３を介して中継装置４に送信する。
【００８１】
このようにしてＣＰＵ２０は、中継装置４を介して編集装置７との間で各種コマンドを通信することにより当該編集装置７の制御のもとに、パーソナルコンピュータ２において編集対象の映像データに対する記録再生等の編集処理を実行する。
【００８２】
ここで編集システム１のパーソナルコンピュータ２と中継装置４とによって実行される装置接続処理手順についてまとめると、まずパーソナルコンピュータ２のＣＰＵ２０は、当該パーソナルコンピュータ２を起動させると、ハードディスクドライブ２３のハードディスクに予め格納している接続情報通知処理プログラムに従って接続情報通知処理を実行することにより図３（Ａ）に示す接続情報通知処理手順ＲＴ１に開始ステップから入って続くステップＳＰ１に移る。
【００８３】
ステップＳＰ１においてＣＰＵ２０は、操作部２４を介して接続情報が入力されたか否かを判断する。
【００８４】
このステップＳＰ１において否定結果が得られると、このことは中継装置４に一方及び他方の兼用コネクタ１３及び１４を介して周辺装置５及び編集装置７が未だ接続されてはいないことにより接続情報が入力されてはいないこと、又は中継装置４に一方及び他方の兼用コネクタ１３及び１４を介して周辺装置５及び編集装置７が接続されていることにより操作部２４を介して接続情報が入力されている途中であることを表しており、このときＣＰＵ２０はステップＳＰ２に移る。
【００８５】
ステップＳＰ２においてＣＰＵ２０は、中継装置４からＵＳＢケーブル３を介して送信される遮断情報を受信したか否かを判断する。
【００８６】
このステップＳＰ２において否定結果が得られると、このことは中継装置４においてパーソナルコンピュータ２と、周辺装置５又は編集装置７との間のコマンドの通信が確立されたこと、又は中継装置４において接続設定時点から通信確認時間が経過するまでの間でコマンドの通信が確立しているか否かを判断している途中であることを表しており、このときＣＰＵ２０はステップＳＰ３に移る。
【００８７】
ステップＳＰ３においてＣＰＵ２０は、パーソナルコンピュータ２の起動を停止させるか否かを判断する。
【００８８】
このステップＳＰ３において否定結果が得られると、このことは操作部２４を介して未だパーソナルコンピュータ２に対する起動停止命令が入力されてはいないことを表しており、このときＣＰＵ２０はステップＳＰ１に戻る。
【００８９】
このようにしてＣＰＵ２０は、基本的にはこの後ステップＳＰ３において肯定結果が得られるまでの間（すなわち、パーソナルコンピュータ２の起動を停止させるまでの間）は、ステップＳＰ１―ＳＰ２−ＳＰ３の処理を循環的に繰り返すことにより、接続情報の入力及び遮断情報の受信を待ち受ける。
【００９０】
そしてステップＳＰ１において肯定結果が得られると、このことはパーソナルコンピュータ２の起動開始直後に操作部２４を介して接続情報が入力されたこと、又は遮断情報の受信に応じて操作部２４を介して接続情報が入力されたことを表しており、このときＣＰＵ２０はステップＳＰ４に移る。
【００９１】
ステップＳＰ４においてＣＰＵ２０は、接続情報をＵＳＢインターフェース部２６からＵＳＢケーブル３を介して中継装置４に送信した後、ステップＳＰ２に移る。
【００９２】
またステップＳＰ２において肯定結果が得られると、このことは中継装置４に対して起動直後に接続情報を送信してはいないことによりコマンドの通信が強制的に遮断されたことで当該中継装置４からＵＳＢケーブル３を介して送信された遮断情報を受信したこと、又は中継装置４に対して接続情報を送信したものの、コマンドの通信が接続設定時点から通信確認時間が経過するまでの間に確立されずに遮断されたことで当該中継装置４からＵＳＢケーブル３を介して送信された遮断情報を受信したことを表しており、このときＣＰＵ２０はステップＳＰ５に移る。
【００９３】
ステップＳＰ５においてＣＰＵ２０は、表示部２５を介してユーザにコマンドの通信が遮断されたことを通知すると共に、中継装置４に対する周辺装置５及び編集装置７の接続及び起動の有無等を確認させ、さらに接続情報の再入力を促した後、ステップＳＰ３に移る。
【００９４】
このようにしてＣＰＵ２０は、中継装置４においてコマンドの通信が確立されずに遮断情報を受信すると、その都度、接続情報を改めて入力させて中継装置４に送信することにより、当該中継装置４においてコマンドの通信を確実に確立させ、かくしてパーソナルコンピュータ２及び周辺装置５、又は編集装置７及びパーソナルコンピュータ２により所定の編集処理を実行する。
【００９５】
そしてステップＳＰ３において肯定結果が得られると、このことは編集処理の終了等に伴い、操作部２４を介してパーソナルコンピュータ２に対する起動停止命令が入力されたことを表しており、このときＣＰＵ２０は、ステップＳＰ６に移ってこの接続情報通知処理手順ＲＴ１を終了する。
【００９６】
一方、中継装置４のＣＰＵ１０は、この際にパーソナルコンピュータ２からＵＳＢケーブル３を介して供給される動作電力に応じて起動すると、内部のメモリに予め格納している装置接続設定処理プログラムに従って装置接続設定処理を実行することにより図３（Ｂ）に示す装置接続設定処理手順ＲＴ２に開始ステップから入って続くステップＳＰ１１に移る。
【００９７】
ステップＳＰ１１においてＣＰＵ１０は、パーソナルコンピュータ２からＵＳＢケーブル３を介して送信される接続情報を受信したか否かを判断する。
【００９８】
このステップＳＰ１１において否定結果が得られると、このことは未だ接続情報に従ってスイッチ１５を制御してはいないことにより、中継装置４内部でパーソナルコンピュータ２から送信された周辺装置制御コマンドＣ２と編集装置７から送信されたコンピュータ制御コマンドＣ１０とがかちあう可能性があることを表しており、このときＣＰＵ１０はステップＳＰ１２に移る。
【００９９】
ステップＳＰ１２においてＣＰＵ１０は、通信制御回路１６を制御してコマンドの通信を強制的に遮断して、続くステップＳＰ１３に移る。
【０１００】
ステップＳＰ１３においてＣＰＵ１０は、コマンドの通信の遮断に応じて遮断情報をＵＳＢケーブル３を介してパーソナルコンピュータ２に送信した後、ステップＳＰ１４に移る。
【０１０１】
ステップＳＰ１４においてＣＰＵ１０は、中継装置４の起動を停止させるか否かを判断する。
【０１０２】
このステップＳＰ１４において否定結果が得られると、このことはパーソナルコンピュータ２が未だ起動しており、これに応じて当該パーソナルコンピュータ２からＵＳＢケーブル３を介して供給される動作電力により中継装置４が起動している途中であることを表しており、このときＣＰＵ１０はステップＳＰ１１に戻る。
【０１０３】
そしてステップＳＰ１１において肯定結果が得られると、このことは中継装置４の起動直後にパーソナルコンピュータ２からＵＳＢケーブル３を介して送信された接続情報を受信したこと、又はパーソナルコンピュータ２に対して遮断情報をＵＳＢケーブル３を介して送信した結果、当該パーソナルコンピュータ２からＵＳＢケーブル３を介して新たに送信された接続情報を受信したことを表しており、このときＣＰＵ１０はステップＳＰ１５に移る。
【０１０４】
ステップＳＰ１５においてＣＰＵ１０は、接続情報に従ってスイッチ１５を制御することにより通信制御回路１６にスイッチ１５を介して、パーソナルコンピュータ２から通知されたとおりに兼用コネクタ１３及び１４の周辺装置用入出力ピン及び編集装置用入出力ピンを接続するようにして当該通信制御回路１６に対する兼用コネクタ１３及び１４の接続を設定した後、ステップＳＰ１６に移る。
【０１０５】
ステップＳＰ１６においてＣＰＵ２０は、コマンドの通信が確立されたか否かを判断する。
【０１０６】
このステップＳＰ１６において否定結果が得られると、このことは接続情報によって通知されたパーソナルコンピュータ２に対する機能と、当該パーソナルコンピュータ２と共に編集処理を実行するように選択された周辺装置５及び編集装置７との組み合せどおりには、コマンドか通信されてはいないことにより、中継装置４内部でパーソナルコンピュータ２から送信された周辺装置制御コマンドＣ２と編集装置７から送信されたコンピュータ制御コマンドＣ１０とがかちあう可能性があることを表しており、このときＣＰＵ２０はステップＳＰ１２に移る。
【０１０７】
これに対してステップＳＰ１６において肯定結果が得られると、このことは接続情報によって通知されたパーソナルコンピュータ２に対する機能と、当該パーソナルコンピュータ２と共に編集処理を実行するように選択された周辺装置５及び編集装置７との組み合せどおりにコマンドか通信されたことにより、当該コマンドの通信が確立したことを表しており、このときＣＰＵ２０はステップＳＰ１７に移る。
【０１０８】
ステップＳＰ１７においてＣＰＵ２０は、パーソナルコンピュータ２及び周辺装置５、又は編集装置７及びパーソナルコンピュータ２によって実行された編集処理が終了したか否かを判断する。
【０１０９】
このステップＳＰ１７において否定結果が得られると、周辺装置５と共に編集処理を実行しているパーソナルコンピュータ２から未だ編集処理の終了が通知されてはいないこと、又はパーソナルコンピュータ２と共に編集処理を実行している編集装置７から未だ編集処理の終了が通知されてはいないことを表しており、このときＣＰＵ２０は当該編集処理の終了が通知されることを待ち受ける。
【０１１０】
そしてステップＳＰ１７において肯定結果が得られると、このことは周辺装置５と共に編集処理を実行しているパーソナルコンピュータ２から編集処理の終了が通知されたこと、又はパーソナルコンピュータ２と共に編集処理を実行している編集装置７から編集処理の終了が通知されたことを表しており、このときＣＰＵ２０はステップＳＰ１４に移る。
【０１１１】
このようにしてＣＰＵ２０は、ステップＳＰ１４において肯定結果を得るまでの間は、ステップＳＰ１１―ＳＰ１２―ＳＰ１３−ＳＰ１４−ＳＰ１５−ＳＰ１６−ＳＰ１７の処理を循環的に繰り返すことにより、パーソナルコンピュータ２及び周辺装置５や、編集装置７及びパーソナルコンピュータ２によって編集処理が開始される毎に、当該パーソナルコンピュータ２に対する周辺装置５及び編集装置７の通信路を適確に確保して当該編集処理を実行させる。
【０１１２】
そしてステップＳＰ１４において肯定結果が得られると、このことはパーソナルコンピュータ２の起動停止に応じて動作電力の供給が停止したことにより中継装置４の起動も停止させることを表しており、このときＣＰＵ１０はステップＳＰ１８に移ってこの装置接続設定処理手順ＲＴ２を終了する。これにより編集システム１は、パーソナルコンピュータ２及び中継装置４による装置接続処理手順を全て終了する。
【０１１３】
以上の構成において、パーソナルコンピュータ２にＵＳＢケーブル３を介して接続された中継装置４は、当該中継装置４に、周辺装置５の周辺装置専用コネクタ及び編集装置７の編集装置専用コネクタの接続に兼用可能な兼用コネクタ１３及び１４を介して接続された周辺装置５及び編集装置７に応じてスイッチ１５を制御して、当該兼用コネクタ１３及び１４の周辺装置用入出力ピン及び編集装置用入出力ピンを選択的に通信制御回路１６に接続することで、その結果として当該兼用コネクタ１３及び１４の周辺装置用入出力ピン及び編集装置用入出力ピンを、信号処理回路１７を介して、パーソナルコンピュータ２と周辺装置５及び編集装置７との通信に兼用されるＣＰＵ１０及びＵＳＢコントローラ１１に接続する（ステップＳＰ１１及びステップＳＰ１５）。
【０１１４】
従って中継装置４は、パーソナルコンピュータ２に対して周辺装置５と編集装置７とのいずれも接続する可能性がある場合でも、周辺装置専用コネクタ及び編集装置専用コネクタに対応する専用のコネクタをそれぞれ設けることなく少なくとも１個の兼用コネクタ１３又は１４を設けるだけの簡易な構成で周辺装置５及び編集装置８のいずれも容易に接続することができる。
【０１１５】
またパーソナルコンピュータ２についても、最近、パーソナルコンピュータ２に設けられるインターフェース部として一般化し、ほとんど全てのパーソナルコンピュータ２に設けられているＵＳＢインターフェース部２６を介して中継装置４を接続することで、パーソナルコンピュータ２の本体に周辺装置専用コネクタ及び編集装置専用コネクタに対応する専用のコネクタをそれぞれ設けることなく、１個のＵＳＢインターフェース部２６を設けるだけの簡易な構成で中継装置４を介して周辺装置５及び編集装置７を容易に接続することができる。
【０１１６】
さらに中継装置４は、兼用コネクタ１３及び１４を介して接続された周辺装置５及び編集装置７と、パーソナルコンピュータ２との通信路をスイッチ１５の制御によって確保したつもりでも、当該パーソナルコンピュータ２及び周辺装置５間や、編集装置７及びパーソナルコンピュータ２間におけるコマンドの通信が確立されなければ、通信制御回路１６を制御して当該コマンドの通信を強制的に遮断する（ステップＳＰ１２及びステップＳＰ１６）。
【０１１７】
従って中継装置４は、パーソナルコンピュータ２から送信された周辺装置制御コマンドＣ２と、編集装置７から送信されたコンピュータ制御コマンドＣ１０とがかちあって処理に破綻をきたしたり、回路が故障することを未然に防止することができる。さらには、かかる周辺装置制御コマンドＣ２及びコンピュータ制御コマンドＣ１０の送信タイミングにより、パーソナルコンピュータ２内や編集装置７内で周辺装置制御コマンドＣ２及びコンピュータ制御コマンドＣ１０がかちあうことで、当該パーソナルコンピュータ２や編集装置７において処理に破綻をきたしたり、回路が故障することも未然に防止することができる。
【０１１８】
さらに中継装置４は、通信制御回路１６を制御してコマンドの通信を強制的に遮断したときには、その遮断をパーソナルコンピュータ２に通知して、兼用コネクタ１３及び１４を介した周辺装置５及び編集装置７の接続の有無や動作状態等を確認させたうえで（ステップＳＰ１３及びステップＳＰ２並びにステップＳＰ５）、再びスイッチ１５を制御して当該兼用コネクタ１３及び１４の周辺装置用入出力ピン及び編集装置用入出力ピンを選択的に通信制御回路１６を介してＣＰＵ１０及びＵＳＢコントローラ１１に接続し直す（ステップＳＰ１１及びステップＳＰ１５）。
【０１１９】
従って中継装置４は、兼用コネクタ１３及び１４を介して接続された周辺装置５及び編集装置７が勘違いされていたり、当該周辺装置５及び編集装置７が起動してはいないときでも、これら勘違いや動作状態を正したうえで、パーソナルコンピュータ２及び周辺装置５間や、編集装置７及びパーソナルコンピュータ２間の通信路を確保し直してコマンドの通信を適確に確立することができ、かくしてパーソナルコンピュータ２及び周辺装置５や、編集装置７及びパーソナルコンピュータ２に対して編集処理を適確に実行させることができる。
【０１２０】
以上の構成によれば、パーソナルコンピュータ２にＵＳＢケーブル３を介して接続された中継装置４において、周辺装置５及び編集装置７の接続に兼用可能な兼用コネクタ１３及び１４を介して接続された周辺装置５及び編集装置７に応じてスイッチ１５を制御して、当該周辺装置５及び編集装置７を中継装置４を介して選択的に通信制御回路１６を介してＣＰＵ１０及びＵＳＢコントローラ１１に接続するようにしたことにより、パーソナルコンピュータ２に対して周辺装置５と編集装置７とのいずれも接続する可能性がある場合でも、中継装置４に対して少なくとも１個の兼用コネクタ１３又は１４を設けるだけの簡易な構成で周辺装置５及び編集装置８のいずれも容易に接続することができると共に、パーソナルコンピュータ２に１個のＵＳＢインターフェース部２６を設けるだけの簡易な構成で中継装置４を容易に接続することができ、かくしてパーソナルコンピュータ２に対して簡易な構成で周辺装置５及び編集装置７のいずれをも容易に接続し得る編集システムを実現することができる。
【０１２１】
なお上述の実施の形態においては、パーソナルコンピュータ２にＵＳＢケーブル３を介して１台の中継装置４を接続するようにした場合について述べたが、本発明はこれに限らず、パーソナルコンピュータ２にＵＳＢ用のハブ及びＵＳＢケーブル３を介して複数台の中継装置４を接続するようにしても良く、このようにすれば、例えばパーソナルコンピュータ２の構成を煩雑化することなく、当該パーソナルコンピュータ２により複数の周辺装置５を並列的に動作させて編集処理を実行することができる。
【０１２２】
また上述の実施の形態においては、中継装置４に２個の兼用コネクタ１３及び１４を設けるようにした場合について述べたが、本発明はこれに限らず、中継装置４に少なくとも１個又は３個以上の兼用コネクタを設けるようにしても良い。
【０１２３】
さらに上述の実施の形態においては、パーソナルコンピュータ２に対して周辺装置５及び編集装置７を接続するために、中継装置４を用いるようにした場合について述べたが、本発明はこれに限らず、パーソナルコンピュータ２の本体に対して中継装置４の通信制御回路１６、スイッチ１５、少なくとも１個の兼用コネクタ１３及び１４を一体に設けるようにしても良い。
【０１２４】
そして中継装置４の機能を有する、かかるパーソナルコンピュータ２によれば、周辺装置５と編集装置７とのいずれも接続する可能性がある場合でも、周辺装置専用コネクタ及び編集装置専用コネクタに対応する専用のコネクタをそれぞれ設けることなく、少なくとも１個の兼用コネクタ１３又は１４を設けるだけの簡易な構成で周辺装置５及び編集装置８のいずれも直接かつ容易に接続することができる。
【０１２５】
またかかるパーソナルコンピュータ２によれば、当該パーソナルコンピュータ２から送信される周辺装置制御コマンドＣ２と、編集装置７から送信されたコンピュータ制御コマンドＣ１０とが本体内部でかちあって処理に破綻をきたしたり、本体内部の回路が故障することを未然に防止することができる。さらには、かかる周辺装置制御コマンドＣ２及びコンピュータ制御コマンドＣ１０の送信タイミングにより、編集装置７内で周辺装置制御コマンドＣ２及びコンピュータ制御コマンドＣ１０がかちあうことで、当該編集装置７において処理に破綻をきたしたり、回路が故障することも未然に防止することができる。
【０１２６】
さらにかかるパーソナルコンピュータ２によれば、兼用コネクタ１３及び１４を介して接続された周辺装置５及び編集装置７が勘違いされていたり、当該周辺装置５及び編集装置７が起動してはいないときでも、これら勘違いや動作状態を正したうえで、周辺装置５や、編集装置７との間で通信路を確保し直してコマンドの通信を適確に確立することができ、かくして周辺装置５や編集装置７との協同の編集処理を適確に実行することができる。
【０１２７】
さらに上述の実施の形態においては、本発明による編集システムを図１乃至図３について上述した編集システム１に適用するようにした場合について述べたが、本発明はこれに限らず、中継装置４の機能を有するパーソナルコンピュータ単体や、当該中継装置４の機能を有するワークステーション等のコンピュータ単体に対して、周辺装置５及び編集装置７が直接接続される編集システム等のように、この他種々の編集システムに広く適用することができる。
【０１２８】
さらに上述の実施の形態においては、他の周辺装置に対する制御もとの編集装置及び他の編集装置に対する制御対象の周辺装置とのいずれとしても機能可能なコンピュータとして、図１乃至図３について上述したパーソナルコンピュータ２を適用するようにした場合について述べたが、本発明はこれに限らず、ワークステーション等のコンピュータを適用することができる。
【０１２９】
さらに上述の実施の形態においては、コンピュータと他の周辺装置及び他の編集装置との制御用の通信を中継する中継装置として、図１乃至図３について上述した中継装置４を適用するようにした場合について述べたが、本発明はこれに限らず、中継装置４の機能を有すれば、コンピュータに装着される拡張ボード等のように、この他種々の中継装置を広く適用することができる。
【０１３０】
さらに上述の実施の形態においては、コンピュータ及び他の周辺装置と当該コンピュータ及び他の編集装置との両方の通信の中継に兼用され、コンピュータと通信する通信手段として、図１乃至図３について上述したＣＰＵ１０及びＵＳＢコントローラ１１を適用するようにした場合について述べたが、本発明はこれに限らず、ＵＳＢ以外のこの他種々の規格に準じた有線接続用及び無線接続用のインターフェース部等のように、この他種々の通信手段を広く適用することができる。
【０１３１】
さらに上述の実施の形態においては、通信手段に対する、兼用コネクタの周辺装置用入出力ピンと編集装置用入出力ピンとの接続を切り替える接続切替手段として、図１乃至図３について上述した、電気的に接続を切り替えるスイッチ１５を適用するようにした場合について述べたが、本発明はこれに限らず、機械的に接続を切り替えるスイッチ等のように、この他種々の接続切替手段を広く適用することができる。
【０１３２】
さらに上述の実施の形態においては、兼用コネクタに周辺装置専用コネクタ又は編集装置専用コネクタを介して接続された他の周辺装置又は他の編集装置に応じて、通信手段に対する、兼用コネクタの周辺装置用入出力ピンと編集装置用入出力ピンとの接続を切り替えるように接続切替手段を制御する制御手段として、図１乃至図３について上述したＣＰＵ１０を適用するようにした場合について述べたが、本発明はこれに限らず、マイクロプロセッサ等のように、この他種々の制御手段を広く適用することができる。
【０１３３】
さらに上述の実施の形態においては、制御手段により接続切替手段を制御して、通信手段に対する兼用コネクタの周辺装置用入出力ピンと編集装置用入出力ピンとの接続を切り替えた接続設定時点から、予め選定された通信確認時間が経過するまでの間に、コンピュータと、兼用コネクタに周辺装置専用コネクタ又は編集装置専用コネクタを介して接続された他の周辺装置又は他の編集装置との通信状態に応じて通信が確立したか否かを判断する通信確立判断手段として、図１乃至図３について上述したＣＰＵ１０を適用するようにした場合について述べたが、本発明はこれに限らず、マイクロプロセッサ等のように、この他種々の通信確立判断手段を広く適用することができる。
【０１３４】
さらに上述の実施の形態においては、通信確立判断手段による判断結果に応じて、接続設定時点から通信確認時間が経過するまでの間にコンピュータと、兼用コネクタに周辺装置専用コネクタ又は編集装置専用コネクタを介して接続された他の周辺装置又は他の編集装置との通信が確立しないと判断されたときには、コンピュータと、兼用コネクタに周辺装置専用コネクタ又は編集装置専用コネクタを介して接続された他の周辺装置又は他の編集装置との通信を遮断する通信遮断手段として、図１乃至図３について上述した、入出力段のインピーダンスを調節して通信を遮断する通信制御回路１６を適用するようにした場合について述べたが、本発明はこれに限らず、機械的に通信を遮断する通信遮断手段等のように、この他種々の通信遮断手段を広く適用することができる。
【０１３５】
さらに上述の実施の形態においては、通信遮断手段によりコンピュータと、兼用コネクタに周辺装置専用コネクタ又は編集装置専用コネクタを介して接続された他の周辺装置又は他の編集装置との通信を遮断したとき、当該通信の遮断を通知する通信遮断通知手段として、図１乃至図３について上述したＣＰＵ１０及びパーソナルコンピュータ２を適用するようにした場合について述べたが、本発明はこれに限らず、中継装置に設けられたＣＰＵ及びランプ、スピーカ等のように、この他種々の通信遮断通知手段を広く適用することができる。
【０１３６】
【発明の効果】
上述のように本発明によれば、他の周辺装置に対する制御もとの編集装置及び他の編集装置に対する制御対象の周辺装置のいずれとしても機能可能なコンピュータと、他の周辺装置及び他の編集装置との制御用の通信を中継する中継装置において、コンピュータ及び他の周辺装置と当該コンピュータ及び他の編集装置との両方の通信の中継に兼用され、コンピュータと通信する通信手段に対して、周辺装置専用コネクタ及び編集装置専用コネクタの接続に兼用される兼用コネクタの周辺装置用入出力ピンと編集装置用入出力ピンとの接続を切り替える接続切替手段を、制御手段により、当該兼用コネクタに周辺装置専用コネクタ又は編集装置専用コネクタを介して接続された他の周辺装置又は他の編集装置に応じて、通信手段に対する兼用コネクタの周辺装置用入出力ピンと編集装置用入出力ピンとの接続を切り替えるように制御するようにしたことにより、コンピュータに対して他の周辺装置と他の編集装置とのいずれも接続する可能性がある場合でも、中継装置に対して少なくとも１個の兼用コネクタを設けるだけの簡易な構成で他の周辺装置及び他の編集装置のいずれも容易に接続することができると共に、コンピュータに中継装置の通信手段と通信する１個の通信手段を設けるだけの簡易な構成で当該中継装置を容易に通信接続することができ、かくしてコンピュータに対して簡易な構成で他の周辺装置及び他の編集装置のいずれをも容易に接続し得る編集システムを実現することができる。
【図面の簡単な説明】
【図１】本発明による編集システムの全体構成の一実施の形態を示す略線的斜視図である。
【図２】パーソナルコンピュータ及び中継装置の回路構成を示すブロック図である。
【図３】パーソナルコンピュータによる接続情報通知処理手順及び中継装置による装置接続設定処理手順からなる装置接続処理手順を示すフローチャートである。
【符号の説明】
１……編集システム、２……パーソナルコンピュータ、３……ＵＳＢケーブル、４……中継装置、５……周辺装置、７……編集装置、１０、２０……ＣＰＵ、１１……ＵＳＢコントローラ、１３、１４……兼用コネクタ、１５……スイッチ、１６……通信制御回路、ＲＴ１……接続情報通知処理手順、ＲＴ２……装置接続設定処理手順。
【図１】
2004341932.tif 000003
【図２】
2004341932.tif 000004
【図３】
2004341932.tif 000005